(57)【要約】【課題】障子のスムーズな開閉を維持できるサッシを提供する。【解決手段】本発明にかかるサッシ１は、枠３と、障子５と、開閉機構７と、開閉機構の操作部９と、連動棒１１を備え、開閉機構７は枠３と框５との間に設けてあり、障子５を押し出し及び引き寄せして開閉するものであり、操作部９は、枠３の室内側に設けてあり、操作部９の操作により連動棒１１がスライドして開閉機構７を作動するものであり、連動棒１１は、枠３に設けたレール部４１を覆ってレール部４１にスライド自在に取り付けてある。【選択図】図１
2018066145.tif 000002
【特許請求の範囲】
【請求項１】
枠と、障子と、開閉機構と、開閉機構の操作部と、連動棒を備え、開閉機構は枠と框との間に設けてあり、障子を押し出し及び引き寄せして開閉するものであり、操作部は、枠の室内側に設けてあり、操作部の操作により連動棒がスライドして開閉機構を作動するものであり、連動棒は、枠に設けたレール部を覆ってレール部にスライド自在に取り付けてあることを特徴とするサッシ。
【発明の詳細な説明】
【技術分野】
【０００１】
本発明は、サッシに関する。  
【背景技術】
【０００２】
枠と障子との間に設けた開閉機構と、開閉機構の操作部とを有し、操作部を操作することで連動棒がスライドして開閉機構を作動するサッシが公知である。
【先行技術文献】
【特許文献】
【０００３】
【特許文献１】なし
【発明の概要】
【発明が解決しようとする課題】
【０００４】
しかし、ゴミや塵等により連動棒のスムーズなスライドが阻害されることがあり、これにより障子のスムーズな開閉に悪影響を及ぼすことがあった。  
【０００５】
そこで、本発明は、障子のスムーズな開閉を維持できるサッシの提供を目的とする。
【課題を解決するための手段】
【０００６】
請求項１に記載の発明は、枠と、障子と、開閉機構と、開閉機構の操作部と、連動棒を備え、開閉機構は枠と框との間に設けてあり、障子を押し出し及び引き寄せして開閉するものであり、操作部は、枠の室内側に設けてあり、操作部の操作により連動棒がスライドして開閉機構を作動するものであり、連動棒は、枠に設けたレール部を覆ってレール部にスライド自在に取り付けてあることを特徴とするサッシである。  
【発明の効果】
【０００７】
請求項１に記載の発明によれば、連動棒は枠に設けたレール部を覆ってスライド自在としてあるから、レール部と連動棒との間にゴミや塵等が入るのを防止できる。これにより連動棒のスムーズなスライドを確保することで、障子のスムーズな開閉が維持できる。
【図面の簡単な説明】
【０００８】
【図１】本発明の実施の形態にかかるサッシの縦断面図である。
【図２】図１に示すサッシの右側部分の横断面図である。
【図３】図１に示すサッシの開閉機構及び連動棒を抜き出して示すサッシの横断面であり、枠に対して障子が全開した状態の図である。
【図４】図１に示すサッシの開閉機構及び連動棒を抜き出して示すサッシの横断面であり、（ａ）は枠に対して障子が閉め切る直前の状態を示す図、（ｂ）は枠に対して障子を閉め切ってロックした状態を示す図である。
【図５】連動棒と開閉機構との関係を示す連動棒の平面図であり、（ａ）は障子をロックした状態であり、（ｂ）は障子を全開した状態である。
【発明を実施するための形態】
【０００９】
以下に、添付図面を参照して本発明の実施の形態について説明する。  
図１及び図２に示すように、本実施の形態にかかるサッシ１は、壁の高所に設けたすべり出しサッシであり、枠３と、障子５と、開閉機構７（図１参照）と、開閉機構７の操作部９と、連動棒１１（図１参照）を備えている。このサッシ１は断熱サッシであり、枠３及び障子５の室内側はそれぞれ樹脂製カバー１３で覆っている。  
図１に示すように、下枠３ａには、障子５の下框５ａと当接する気密材１５が設けてあり、この気密材１５により、下枠３ａにおける気密ラインＦを形成している。  
【００１０】
開閉機構７は、下框５ａの室内側見付面１７と下枠３ａとの間に設けてある。開閉機構７は、障子５を枠３に対して押し出し及び引き寄せして開閉するものであり、図３に示すように、ベース１８と下框５ａとの間に連結された第１リンク１９と、連動棒１１と第１リンク１９の中間位置との間に連結された第２リンク２１とを備えている。  
第１リンク１９は、一端部１９ａが下框５ａに固定されたスライド部材２４の見付方向の長孔２４ａにスライド自在に係合してある。第１リンク１９の他端部１９ｂはベース１８に形成された案内溝１８ａに係合している。ベース１８は下枠３ａに固定されている。また、第１リンク１９には、後述するロックピン４５ｂを受けるロック受け４３ｂが形成されている。  
第２リンク２１は一端部２１ａが連動棒１１に回動自在に軸支されており、他端部２１ｂが第１リンク１９の中間部に回動自在に軸支されている。  
尚、開閉機構７では、図３及び図５に示すように、第１リンク１９及び第２リンク２１が室外側へ向けて突出した位置で障子５が全開状態になり（図３及び図５（ｂ）参照）、連動棒１１に沿って横になった位置で障子５が全閉状態になる（図４（ｂ）及び図５（ａ）参照）。  
【００１１】
図１及び図２に示すように、操作部９は、枠３の室内側に設けてあり、操作部９の操作により連動棒１１がスライドして開閉機構７を作動するものである。図３に示すように、操作部９は、下枠３ａに取り付けてあり、室内に垂下してあるチェーン２３（図１参照）の操作により回転する回転部２５と、回転部２５の回転に連動して所定角度に回動するウォームホイール２７と、一端部２９ａをウォームホイール２７に軸支し他端部２９ｂを連動棒１１に軸支したオペレータアーム２９と、下枠３ａに取り付ける取付部３１とを備えている。尚、図２に示すように、操作部９は下枠３ａにおいて、右縦枠３ｂ側に取り付けてある。  
【００１２】
図１に示すように、下枠３ａは、室内側見込部４ａを有し、室内側見込部４ａの室内側は樹脂製カバー１３で覆ってあり、操作部９の取付部３１（図２参照）は、Ｌ字金具３３を介して下枠３ａに取り付けてある。樹脂製カバー１３は、室内側に立ち上げた見付壁部１３ａと、見付壁部１３ａの上端部から室外側に突出した見込壁部１３ｂとを有し、見付壁部１３ａと見込壁部１３ｂとで断面略Ｌ字形状を成している。この樹脂製カバー１３の見込壁部１３ｂには、その室外側端に室外側に向けて突設した室外側ヒレ部１４が設けてある。開閉機構７及び連動棒１１は、これらの上方は樹脂製カバー１３の見込壁部１３ｂで隠されており、室内側は樹脂製カバー１３の見付壁部１３ａで隠されている。  
Ｌ字金具３３の水平部３３ａはねじ３５で下枠３の室内側見込部４ａに固定してあり、図３に示すように、垂直部３３ｂに操作部９の取付部３１をねじ３７で固定してある。尚、図３に示すように、Ｌ字金具３３の左右方向の長さは、操作部９の取付部３１に対応する寸法である。  
【００１３】
次に、連動棒１１について説明する。図１及び図３に示すように、連動棒１１は、下枠３ａに設けたレール部４１に案内されてレール部４１の長手方向に沿って摺動するものであり、上述した開閉機構７を作動する。  
図１に示すように、連動棒１１は開閉機構７の下に設けてあり、気密材１５の室内側で且つ気密ラインＦよりも上に配置されている。  
レール部４１は下枠３ａの長手方向に沿って設けてある（図３参照）と共にＬ字金具３３の水平部３３ａの上に載置してねじ３９で固定してある。尚、レール部４１は、図示していないがＬ字金具３３の無い位置では、水平部３３ａと同様な厚みの台座を下枠３ａの室内側見込部４ａに所定間隔をあけて配置し、その台座の上に載置してねじで固定してある。  
レール部４１は、室内外方向に互いに間隔をあけて設けた室内側起立片４１ａと室外側起立片４１ｂとを有している。連動棒１１は、これらの起立片４１ａ、４１ｂの上端と側面を覆って、レール部４１に通し込んである。連動棒１１は、断面略コ字形状を成し、室内側下端部１１ａはレール部４１の室内側起立片４１ａの下端部に室内側で対向し、室外側下端部１１ｂは室外側起立片４１ｂの下端部に室外側で対向している。  
図３に示すように、連動棒１１には、障子５の下框５ａに設けたロックピン４５ａ、４５ｃを受けるロック受け４３ａ、４３ｃが設けてあり、障子５を閉め切ったときに、障子５の下框５ａに設けた３つのロックピン４５ａ、４５ｂ、４５ｃの内の左右２つの各ロックピン４５ａ、４５ｃを対応するロック受け４３ａ、４３ｃで受ける。  
尚、下框５ａの３つのロックピン４５ａ、４５ｂ、４５ｃの内、中央に位置するロックピン４５ｂは第１リンク１９に形成されたロック受け４３ｂで受ける。  
【００１４】
図２に示すように、左右の縦枠３ｂとこれらに各々対向する各縦框５ｂとの間には、枠３に対して障子５を開閉自在に支持するステー（開閉補助金具）４７が設けてある。  
【００１５】
次に、本実施の形態にかかるサッシ１の作用について説明する。  
図１に示すように、障子５の全閉状態から開くときには、チェーン２３の一側を引いて、操作部９の回転部２５を回し、図３に示すように、ウォームホイール２７を矢印Ａで示す方向に回動する。これにより、図３及び図５（ｂ）に示すように、ウォームホイール２７に連結されているオペレータアーム２９と共に連動棒１１が矢印Ｂで示すように図中右方向に移動して、連動棒１１に連結されている第２リンク２１に押されて、第１リンク１９の他端部１９ｂがベース１８の案内溝１８ａ内を矢印Ｂ方向に移動した後、第１リンク１９の一端部１９ａが室外側に向けて回動することで、障子５が押し出され、障子５が開く。  
【００１６】
障子５を全開状態から閉じるときには、図１に示すチェーン２３の他側を引いて、操作部９の回転部２５を回し、図３に示すウォームホイール２７を図３の矢印Ａと反対方向に回動する。これにより、図４（ａ）に示すように、ウォームホイール２７に連結されているオペレータアーム２９と共に連動棒１１が図４（ａ）中に矢印Ｃで示すように左方向にスライドし、第２リンク２１に引かれて第１リンク１９が連動棒１１と平行になる位置まで回動することで、障子５が枠３に引き寄せられて、障子５が閉じる。  
【００１７】
更に、障子５を閉め切り状態にする場合には、チェーン２３（図１参照）の他側を更に引いて、操作部９の回転部２５を回し、連動棒１１を矢印Ｃ方向に更に移動する。これにより、図４（ｂ）に示すように、第１リンク１９が更に障子５を枠３側に引き寄せると共に、連動棒１１及び第１リンク１９が案内溝１８ａにガイドされて矢印Ｃ方向に移動することで各ロック受け４３ａ、４３ｂ、４３ｃに対応するロックピン４５ａ、４５ｂ、４５ｃを受けて、障子５が枠３にロックされる。  
【００１８】
本実施の形態にかかるサッシ１によれば、図１に示すように、連動棒１１は下枠３ａに設けたレール部４１を覆ってスライド自在としてあるから、レール部４１と連動棒１１との間にゴミや塵等が入るのを防止して連動棒１１のスムーズなスライドを確保することで、障子５のスムーズな開閉が維持できる。  
特に、連動棒１１の上にある開閉機構７では、作動時における各リンク１９、２１やアーム２９とウォームホイール２７との擦れ等により金属粉が出やすいが、かかる金属粉がレール部４１と連動棒１１との間に入るのを防止できる。  
【００１９】
開閉機構７と、操作部９と、連動棒１１を下枠３ａに設けると共に開閉機構７は下枠３ａの気密ラインＦよりも室内側に設けて、且つ連動棒１１は開閉機構７の下方に設けているので、これらを下枠３ａに纏めてコンパクトにできる。  
室内側を樹脂製カバー１３で覆った断熱枠３において、下枠３ａに設けたＬ字金具３３の垂直部３３ｂに操作部９を取り付けているので操作部９を下枠３ａに強固に取り付けできると共に樹脂製カバー１３で開閉機構７の室内側を覆っているので、下枠３ａの断熱性を損なわない。  
レール部４１は下枠３ａの気密ラインＦよりも上に設けているので、レール部４１に水が入り難い。  
図４及び図５に示すように、連動棒１１には、障子５に設けた各ロックピン４５ａ、４５ｃを受けるロック受け４３ａ、４３ｃが設けてあり、連動部材１１のスライドによりロック時に各対応するロックピン４５ａ、４５ｂを受けるから、ロック機構が連動棒１１を利用した簡易な構成にできる。  
連動棒１１を開閉機構７と共に障子５の戸先側の枠（下枠３ａ）に配置してあるので、サッシ１のサイズが大きい場合にもロックピン４５ａ、４５ｂ、４５ｃ及びロック受け４３ａ、４３ｂ、４３ｃを任意に増やして、障子戸先側をしっかり施錠することができる。
また、ロックピン４５ａ、４５ｂ、４５ｃ及びロック受け４３ａ、４３ｂ、４３ｃを増やしても、操作部９の操作だけで、障子５の開閉とロックができるので操作性が良い。  
【００２０】
本発明は、上述した実施の形態に限定されるものではなく、その要旨を逸脱しない範囲で種々変形可能である。  
例えば、上述した実施の形態において、サッシ１は、すべり出しサッシとして開閉機構７、連動棒１１及びレール部４４は下枠３ａに設けたが、これに限らず、サッシ１を縦すべり出しサッシとして、開閉機構７、連動棒１１及びレール部４４を開閉側の縦枠３ｂに設けて、連動棒１１を上下にスライドする構成としても良い。  
レール部４４は、下枠３ａと別体に構成したが、下枠３ａと一体に設けるものであっても良い。  
ロックピン４５ａ、４５ｂ、４５ｃ及びこれらに係合するロック受４３ａ、４３ｂ、４３ｃは、各々３つ設けたが、これに限らず、各々２つ設けたり、４つ設けても良く、サッシ１の大きさに応じて任意の数を設けることができる。  
操作部９は、チェーン２３の操作により連動棒１１及び開閉機構７を作動することに限らず、ハンドル操作により連動棒１１及び開閉機構７を作動するものであっても良い。  
【符号の説明】
【００２１】
１    サッシ
３ａ  下枠（枠）
５    障子
５ａ  下框（框）
７    開閉機構
９    操作部
１１  連動棒
４１  レール部
【図１】
2018066145.tif 000003
【図２】
2018066145.tif 000004
【図３】
2018066145.tif 000005
【図４】
2018066145.tif 000006
【図５】
2018066145.tif 000007